(57)【要約】【課題】  製造原価上昇及び質量増大等を抑制しながら、亀裂が発生することを抑制可能なバックサイドフレームの一例を開示する。【解決手段】  バックサイドフレーム７２に固定されたストッパ８０には、当該ストッパ８０からシート前後方向に延出し、少なくとも一部がバックサイドフレーム７２に固定された延出部８３が設けられている。これにより、「バックサイドフレーム７２の長手方向と略平行な軸線周りモーメント」を延出部８３にて受けることが可能となり得る。したがって、当該モーメントが作用することに伴ってバックサイドフレーム７２に発生する応力が分散するとともに、発生する最大応力が小さくなり得る。延いては、バックサイドフレーム７２の製造者は、製造原価上昇及び質量増大等を抑制しながら、亀裂が発生することを抑制可能なバックサイドフレーム７２を得ることができ得る。【選択図】  図２
2020142580.tif 000002
【特許請求の範囲】
【請求項１】
シートバックの骨格を構成するバックフレームにおいて、
クッションフレームに対してシート前後方向に回転可能なバックサイドフレームと、
前記バックサイドフレームに固定されたストッパであって、前記クッションフレームに対して不動な被当接部に接触可能な当接部を有するとともに、当該当接部が前記被当接部に接触することにより当該バックサイドフレームの回転を規制するストッパと、
前記ストッパからシート前後方向に延出した延出部であって、少なくとも一部が前記バックサイドフレームに固定された延出部と
を備えるバックフレーム。
【請求項２】
前記ストッパから前記バックサイドフレームの長手方向先端側に向かって延出するとともに、前記バックサイドフレームに溶接固定されたストッパ固定部であって、延出方向先端が前記延出部より前記長手方向先端側に位置するストッパ固定部と、
前記延出部を前記バックサイドフレームに溶接固定する溶接部であって、当該延出部の延出方向に沿って延びる溶接部と
を備える請求項１に記載のバックフレーム。
【請求項３】
前記延出部は、
前記バックサイドフレームに対して固定され、当該延出部の延出方向に沿って延びる帯板状の固定壁部、及び
当該延出部の延出方向に沿って延びるとともに、前記固定壁部から延出した帯板状の補強壁部であって、当該固定壁部と交差する方向に延出した補強壁部
を有している請求項１又は２に記載のバックフレーム。
【請求項４】
前記当接部が前記被当接部に接触しているとき、前記延出部は、前記当接部に対して前記被当接部側に向けて延出した状態となる請求項１ないし３のいずれか１項に記載のバックフレーム。
【発明の詳細な説明】
【技術分野】
【０００１】
本開示は、シートバックの骨格を構成するバックフレームに関する。
【背景技術】
【０００２】
バックフレームのバックサイドフレームは、特許文献１に記載されているように、クッションフレームに対してシート前後方向に回転可能である。バックサイドフレームは、バックフレームの一部を構成するタワー状のフレームである。
【先行技術文献】
【特許文献】
【０００３】
【特許文献１】特開２０１３−２７９２２号公報
【発明の概要】
【発明が解決しようとする課題】
【０００４】
通常、バックサイドフレームには、当該バックサイドフレームの回転を規制するためのストッパが設けられている。ストッパは、クッションフレームに対して不動なストッパプレート等の被当接部に接触することにより当該バックサイドフレームの回転を規制する。
【０００５】
このため、被当接部にストッパが接触した状態では、ストッパにモーメントが作用する。当該モーメントは、バックサイドフレームの長手方向と略平行な軸線周りのモーメントである。そして、当該モーメントがストッパに繰り返し作用すると、バックサイドフレームのうちストッパとの固定部に亀裂が発生するおそれがある。
【０００６】
当該亀裂に対する対策の一例として、「バックサイドフレームを構成する部材の肉厚寸法を大きくする」という対策手法がある。しかし、当該対策手法では、バックサイドフレームの製造原価上昇及び質量増大等の問題が発生するおそれがある。
【０００７】
本開示は、上記点に鑑み、製造原価上昇及び質量増大等を抑制しながら、亀裂が発生することを抑制可能なバックサイドフレームの一例を開示する。
【課題を解決するための手段】
【０００８】
シートバックの骨格を構成するバックフレームは、例えば、以下の構成要件のうち少なくとも１つを備えることが望ましい。
すなわち、当該構成要件は、クッションフレームに対してシート前後方向に回転可能なバックサイドフレーム（７２）と、バックサイドフレーム（７２）に固定されたストッパ（８０）であって、クッションフレームに対して不動な被当接部（９１）に接触する当接部（８１）を有するとともに、当該当接部（８１）が被当接部（９１）に接触することにより当該バックサイドフレーム（７２）の回転を規制するストッパ（８０）と、ストッパ（８０）からシート前後方向に延出した延出部（８３）であって、少なくとも一部がバックサイドフレーム（７２）に固定された延出部（８３）とである。
【０００９】
これにより、延出部（８３）にて上記のモーメントを受けることが可能となり得る。したがって、当該モーメントが作用することに伴ってバックサイドフレーム（７２）に発生する応力が分散するとともに、発生する最大応力が小さくなり得る。したがって、バックサイドフレームの製造者は、製造原価上昇及び質量増大等を抑制しながら、亀裂が発生することを抑制可能なバックサイドフレームを得ることができ得る。
【００１０】
なお、バックサイドフレームは、以下の構成であってもよい。
ストッパ（８０）からバックサイドフレーム（７２）の長手方向先端側に向かって延出するとともに、バックサイドフレーム（７２）に溶接固定されたストッパ固定部（８４）であって、延出方向先端が延出部（８３）より長手方向先端側に位置するストッパ固定部（８４）と、延出部（８３）をバックサイドフレーム（７２）に溶接固定する溶接部（８３Ｃ）であって、当該延出部（８３）の延出方向に沿って延びる溶接部（８３Ｃ）とを備えることが望ましい。これにより、製造者は、亀裂が発生することを確実に抑制可能なバックサイドフレームを得ることが可能となり得る。
【００１１】
延出部（８３）は、バックサイドフレーム（７２）に対して固定され、当該延出部（８３）の延出方向に沿って延びる帯板状の固定壁部（８３Ａ）、及び当該延出部（８３）の延出方向に沿って延びるとともに、固定壁部（８３Ａ）から延出した帯板状の補強壁部（８３Ｂ）であって、当該固定壁部（８３Ａ）と交差する方向に延出した補強壁部（８３Ｂ）を有していることが望ましい。これにより、延出部（８３）の曲げ剛性が大きくなるので、バックサイドフレーム（７２）に発生する応力が確実に分散され得る。
【００１２】
当接部（８１）が被当接部（９１）に接触しているとき、延出部（８３）は、当接部（８１）に対して被当接部（９１）側に向けて延出した状態となることが望ましい。これにより、製造者は、亀裂が発生することを確実に抑制可能なバックサイドフレームを得ることが可能となり得る。
【００１３】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１４】
【図１】第１実施形態に係るバックフレームを示す図である。
【図２】第１実施形態に係るストッパ周囲を示す図である。
【図３】第１実施形態に係るストッパ周囲を示す図である。
【図４】第１実施形態に係るストッパ周囲を示す図である。
【図５】第２実施形態に係るストッパ周囲を示す図である。
【図６】第３実施形態に係るストッパ周囲を示す図である。
【図７】第４実施形態に係るストッパ周囲を示す図である。
【図８】第４実施形態に係るストッパ周囲を示す図である。
【図９】第４実施形態に係るストッパ周囲を示す図である。
【発明を実施するための形態】
【００１５】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１６】
本実施形態は、車両等の乗物に搭載されるシート（以下、乗物用シートという。）に本開示に係るバックフレームが適用された例である。各図に付された方向を示す矢印及び斜線等は、各図相互の関係及び部材又は部位の形状等を理解し易くするために記載したものである。
【００１７】
したがって、当該バックフレームは、各図に付された方向に限定されるものではない。各図に示された方向は、本実施形態に係る乗物用シートが車両に組み付けられた状態における方向である。斜線が付された図は断面図を示すものではない。
【００１８】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示されたバックフレームは、少なくとも符号が付されて説明された部材又は部位等の構成要素を備える。
【００１９】
（第１実施形態）
１．乗物用シートの概要
図１に示される乗物用シート１は、車両後部座席の乗物用シートである。当該乗物用シート１はサイドシート３とセンタシート５とが一体となったベンチシート型の乗物用シートである。
【００２０】
サイドシート３は、乗物用シート１のうち車両幅方向一端端側（本実施形態では、右端側）のシート部分である。センタシート５は、当該乗物用シート１のうちサイドシート３に隣接するシート部分である。
【００２１】
図１に示されるように、サイドシート３及びセンタシート５それぞれは、シートクッション３Ａ、５Ａ及びシートバック３Ｂ、５Ｂ等を有する。シートクッション３Ａ、５Ａは着席者の臀部等を支持するための部位である。シートバック３Ｂ、５Ｂは着席者の背部を支持するための部位である。
【００２２】
バックフレーム７はシートバック３Ｂ、５Ｂの骨格を構成する。当該バックフレーム７は、少なくとも３つのバックサイドフレーム７１〜７３等を有する。それらバックサイドフレーム７１〜７３は、図１に示される起立状態では、タワー状に上下方向に延びている。
【００２３】
すなわち、バックサイドフレーム７１及びバックサイドフレーム７２は、シートバック３Ｂの骨格を構成する。バックサイドフレーム７２及びバックサイドフレーム７３は、シートバック５Ｂの骨格を構成する。
【００２４】
つまり、バックサイドフレーム７２は、シートバック３Ｂ用のバックサイドフレームとシートバック５Ｂ用のバックサイドフレームとを兼ねる。各バックサイドフレーム７１〜７３は、接続部材７４Ａ〜７４Ｃを介してクッションフレーム（図示せず。）に連結されている。
【００２５】
接続部材７４Ａ〜７４Ｃはクッションフレームに対して不動である。クッションフレームは、シートクッション３Ａ、５Ａの骨格を構成する部材である。つまり、乗物用シート１の骨格を成すシートフレームは、バックフレーム７、クッションフレーム及び接続部材７４Ａ〜７４Ｃ等を少なくとも有して構成される。
【００２６】
２．バックサイドフレーム
２．１  バックサイドフレーム等の概要
以下の説明は、バックサイドフレーム７２と接続部材７４Ｂとの接続部分の詳細説明である。バックフレーム７のうち当該接続部分は、図２に示されるように、バックサイドフレーム７２、接続部材７４Ｂ、リクライナー７５、ストッパ８０及びストッパプレート９０等を有して構成されている。
【００２７】
バックサイドフレーム７２は、ＳＰＣＣやＳＰＨＣ等の金属製板材にて構成されている。当該板材は、図３に示されるように、閉曲線（図３では矩形状）を描くように折り曲げられてバックサイドフレーム７２を構成している。
【００２８】
当該バックサイドフレーム７２は、リクライナー７５を介して接続部材７４Ｂに固定されている。リクライナー７５は、バックサイドフレーム７２を回転可能状態とする場合と回転不可状態とする場合とを切り替えるための機構である。
【００２９】
リクライナー７５は可動部７５Ａ及び固定部７５Ｂ等を有する。可動部７５Ａは、バックサイドフレーム７２に固定される部位である。固定部７５Ｂは、接続部材７４Ｂに対して固定される部位である。
【００３０】
リクライナー７５が回転可能状態にあるとき、バックサイドフレーム７２はクッションフレームに対して回転可能となる。リクライナー７５が回転不可状態にあるバックサイドフレーム７２はクッションフレームに対して回転不可となる。換言すれば、バックサイドフレーム７２は、リクライナー７５を介してクッションフレームに対してシート前後方向に回転可能に連結されている。
【００３１】
ストッパプレート９０は、バックサイドフレーム７２に対して独立的してシート前後方向に回転可能な部材である。このため、ストッパプレート９０がクッショフレームに対して停止した状態であっても、バックサイドフレーム７２がクッションフレームに対して回転可能な場合（以下、「当接可能時」ともいう。）が発生する。
【００３２】
ストッパ８０は、図３の太い実線及び太い二点鎖線で示される部位である。当該ストッパ８０は、図４に示されるように、バックサイドフレーム７２に固定されているとともに、被当接部９１（図２参照）に接触可能な当接部８１を有する部材である。
【００３３】
被当接部９１は、クッションフレームに対して不動状態となり得る部位である。本実施形態に係る被当接部９１は、ストッパプレート９０に設けられている。このため、当接可能時には、被当接部９１はクッションフレームに対して不動状態となる。
【００３４】
そして、当接可能時に、バックサイドフレーム７２がストッパプレート９０に対してシート前方側に回転すると、当接部８１が被当接部９１に接触するため、当該バックサイドフレーム７２の回転が規制される。
【００３５】
なお、図３に示されるように、第２の被当接部９２が第２の当接部８２に接触している状態では、被当接部９１と当接部８１との間には隙間が存在する。このため、第２の被当接部９２が第２の当接部８２に接触している状態からバックサイドフレーム７２が回転すると、当接部８１が被当接部９１に衝突する。
【００３６】
第２の当接部８２は、ストッパ８０の一部であって、シート前後方向において被当接部９１を挟んで当接部８１と反対側に位置する部位である。第２の被当接部９２は、ストッパプレート９０の一部であって、第２の当接部８２と対向する部位である。
【００３７】
２．２  ストッパ等の詳細
＜延出部＞
ストッパ８０は、図４に示されるように、延出部８３及びストッパ固定部８４等を有する。本実施形態では、ストッパ８０、延出部８３及びストッパ固定部８４は、プレス加工等の塑性加工が１枚の金属板に施されて一体成形された一体成形品である。
【００３８】
延出部８３は、ストッパ８０からシート前後方向に延出した部位であって、少なくとも一部がバックサイドフレーム７２に固定されている。なお、本実施形態に係る延出部８３はバックサイドフレーム７２に溶接されている。
【００３９】
すなわち、バックサイドフレーム７２には、図２に示されるように、延出部８３をバックサイドフレーム７２に溶接固定する溶接部８３Ｃ（図２の「××」で示された部位）が設けられている。当該溶接部８３Ｃは、延出部８３の延出方向に沿って延びている。
【００４０】
延出部８３の延出の向きは、当接部８１が被当接部９１に接触している場合において、当接部８１に対して被当接部９１側に向けて延出する向きである。なお、本実施形態に係る延出部８３は、バックサイドフレーム７２が起立状態時に、シート前方側に向けて延出している。
【００４１】
当該延出部８３は、固定壁部８３Ａ及び補強壁部８３Ｂを有している。固定壁部８３Ａは、バックサイドフレーム７２に対して固定され、当該延出部８３の延出方向に沿って延びる帯板状の部位である。
【００４２】
補強壁部８３Ｂは、当該延出方向に沿って延びるとともに、固定壁部８３Ａから延出した帯板状の部位である。当該補強壁部８３Ｂは、固定壁部８３Ａと交差する方向（本実施形態では、直交する方向）に延出している。
【００４３】
このため、本実施形態に係る延出部８３は、延出方向と直交する断面形状が略Ｌ字状に構成されている。なお、本実施形態に係る溶接部８３Ｃは、固定壁部８３Ａの上端に設けられている。
【００４４】
＜ストッパ固定部＞
ストッパ固定部８４は、ストッパ８０からバックサイドフレーム７２の長手方向先端側（図４では、上方側）に向かって延出する部位である。当該ストッパ固定部８４の延出方向先端は、延出部８３より当該長手方向先端側（図４では、上方側）に位置する。
【００４５】
ストッパ固定部８４は、バックサイドフレーム７２に溶接固定されている。具体的には、当該ストッパ固定部８４は、図２の「××」にて示された部位にてバックサイドフレーム７２に溶接されている。
【００４６】
３．本実施形態に係るバックフレーム（特に、ストッパ）の特徴
本実施形態に係るストッパ８０には、当該ストッパ８０からシート前後方向に延出し、少なくとも一部がバックサイドフレーム７２に固定された延出部８３が設けられている。
【００４７】
これにより、当該ストッパ８０では、「バックサイドフレーム７２の長手方向と略平行な軸線周りモーメント」を延出部８３にて受けることが可能となり得る。したがって、当該モーメントが作用することに伴ってバックサイドフレーム７２に発生する応力が分散するとともに、発生する最大応力が小さくなり得る。
【００４８】
延いては、バックサイドフレーム７２の製造者は、製造原価上昇及び質量増大等を抑制しながら、亀裂が発生することを抑制可能なバックサイドフレーム７２を得ることができ得る。
【００４９】
ストッパ８０は、延出方向先端が延出部８３より長手方向先端側に位置するストッパ固定部８４と、延出部８３をバックサイドフレーム７２に溶接固定する溶接部８３Ｃとを有する。これにより、製造者は、亀裂が発生することを確実に抑制可能なバックサイドフレーム７２を得ることが可能となり得る。
【００５０】
延出部８３は、帯板状の固定壁部８３Ａ、及び当該固定壁部８３Ａと交差する方向に延出した補強壁部８３Ｂを有している。これにより、延出部８３の曲げ剛性が大きくなるので、バックサイドフレーム７２に発生する応力が確実に分散され得る。
【００５１】
延出部８３は、当接部８１が被当接部９１に接触しているとき、当接部８１に対して被当接部９１側に向けて延出している。これにより、製造者は、亀裂が発生することを確実に抑制可能なバックサイドフレーム７２を得ることが可能となり得る。
【００５２】
（第２実施形態）
本実施形態に係る固定壁部８３Ａは、図５に示されるように、固定壁部８３Ａの上端がストッパ固定部８４の上端と略同一の高さ寸法となるように構成されている。なお、上述の実施形態と同一の構成要件等は、上述の実施形態と同一の符号が付されている。このため、本実施形態では、重複する説明は省略されている。
【００５３】
本実施形態に係る固定壁部８３Ａによれば、固定壁部８３Ａとバックサイドフレーム７２との接触面積が第１実施形態に係る固定壁部８３Ａに比べて大きくなるので、バックサイドフレーム７２に発生する応力が確実に分散され得る。
【００５４】
（第３実施形態）
本実施形態に係る固定壁部８３Ａは、図６に示されるように、略三角板状に構成され、かつ、当該固定壁部８３Ａの上端がストッパ固定部８４の上端と略同一の高さ寸法となるように構成されている。
【００５５】
本実施形態に係る固定壁部８３Ａによれば、固定壁部８３Ａとバックサイドフレーム７２との接触面積が第１実施形態に係る固定壁部８３Ａに比べて大きくなるので、バックサイドフレーム７２に発生する応力が確実に分散され得る。
【００５６】
なお、上述の実施形態と同一の構成要件等は、上述の実施形態と同一の符号が付されている。このため、本実施形態では、重複する説明は省略されている。
（第４実施形態）
上述の実施形態では、ストッパプレート９０に被当接部９１及び第２の被当接部９２が設けられていた。
【００５７】
これに対して、本実施形態では、図７〜図９に示されるように、被当接部９１に相当する被当接部９１Ａ及び第２の被当接部９２に相当する被当接部９２Ａが接続部材７４Ｂに設けられている。
【００５８】
当接部８１に相当する当接部８１Ａは、ストッパ８０のシート前後方向前端面に設けられている。第２の当接部８２に相当する当接部８２Ａは、ストッパ８０のシート前後方向後端面に設けられている。
【００５９】
なお、図７は第１実施形態に本実施形態を適用した例である。図８は第２実施形態に本実施形態を適用した例である。図９は第３実施形態に本実施形態を適用した例である。上述の実施形態と同一の構成要件等は、上述の実施形態と同一の符号が付されている。このため、本実施形態では、重複する説明は省略されている。
【００６０】
（その他の実施形態）
上述の実施形態に係る延出部８３は、バックサイドフレーム７２が起立状態にある場合において、シート前方側に向けて延出していた。しかし、本明細書に係る開示はこれに限定されるものではない。
【００６１】
すなわち、当該開示に係る延出部８３は、例えば、バックサイドフレーム７２が起立状態にある場合において、シート後方側に向けて延出した構成、又はシート前方側及び後方側に向けて延出した構成であってもよい。
【００６２】
上述の実施形態では、ストッパ８０、延出部８３及びストッパ固定部８４は、一体成形品であった。しかし、本明細書に係る開示はこれに限定されるものではない。すなわち、当該開示は、例えば、ストッパ８０、延出部８３及びストッパ固定部８４のうちいずれかの部品が他の部品に対して別部品として製造された後、溶接等にて一体化された構成であってもよい。
【００６３】
上述の実施形態に係る延出部８３は、断面形状が略Ｌ字状であった。しかし、本明細書に係る開示はこれに限定されるものではない。すなわち、当該開示に係る延出部８３は、例えば、Ｉ字状の断面形状にて構成されたものであってもよい。
【００６４】
上述の実施形態に係る延出部８３はバックサイドフレーム７２に溶接固定されていた。しかし、本明細書に係る開示はこれに限定されるものではない。すなわち、当該開示は、例えば、ネジやリベット等の締結具にて延出部８３がバックサイドフレーム７２に固定された構成であってもよい。
【００６５】
上述の実施形態では、バックサイドフレーム７２を例にストッパ８０等が説明されていた。しかし、本明細書に係る開示はこれに限定されるものではない。すなわち、当該開示は、例えば、他のバックサイドフレーム７１、７３等にも適用可能である。
【００６６】
上述の実施形態では、車両に本開示に係る乗物用シートを適用した。しかし、本明細書に開示された発明の適用はこれに限定されるものではなく、鉄道車両、船舶及び航空機等の乗物に用いられるシート、並びに劇場や家庭用等に用いられる据え置き型シートにも適用できる。
【００６７】
さらに、本開示は、上述の実施形態に記載された発明の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００６８】
１… 乗物用シート  ３… サイドシート  ３Ａ… シートクッション
３Ｂ… シートバック  ５… センタシート  ５Ｂ… シートバック
７… バックフレーム  ７１〜７３… バックサイドフレーム
７５… リクライナー  ８０… ストッパ  ８１、８２… 当接部
８２… 当接部  ８３… 延出部  ８３Ｃ… 溶接部
８３Ａ… 固定壁部  ８３Ｂ… 補強壁部  ８４… ストッパ固定部
９０… ストッパプレート  ９１、９２… 被当接部
【図１】
2020142580.tif 000003
【図２】
2020142580.tif 000004
【図３】
2020142580.tif 000005
【図４】
2020142580.tif 000006
【図５】
2020142580.tif 000007
【図６】
2020142580.tif 000008
【図７】
2020142580.tif 000009
【図８】
2020142580.tif 000010
【図９】
2020142580.tif 000011